(57)【要約】【課題】１台で異なる相線式の負荷の消費電力を計測することができ且つ工事を簡単化することができる電力計測装置を提供する。【解決手段】単相３線、三相３線または単相２線の電路に接続され、電路の電圧を検出して電圧信号を出力する主装置２と、負荷の電流を検出して電流信号を出力する２つの電流検出手段３ａ及び３ｂと、電圧信号と電流信号とが供給される個別計測装置４とを備え、個別計測装置は、２つの電流検出手段に１対１対応で接続され、電圧信号と電流信号に基づいて電力を演算する２つの電力演算部４ａ及び４ｂと、電圧信号を２つの電力演算部に切替出力する電圧出力切替部と、主装置が単相３線または三相３線の電路に接続されている場合は、２つの電力演算部で演算された電力値を合算して主装置に伝送し、主装置が単相２線の電路に接続されている場合は、２つの電力演算部で演算された電力値を別々に主装置に伝送する演算部４ａとを有する。【選択図】図１
2006337193.tif 000002
【特許請求の範囲】
【請求項１】
単相３線、三相３線または単相２線の電路に接続され、前記電路の電圧を検出して前記電圧に相当する電圧信号を出力する主装置と、
前記電路に接続された負荷の電流を検出して前記電流に相当する電流信号を出力する２つの電流検出手段と、
前記主装置から出力される前記電圧信号と前記２つの電流検出手段から出力される前記電流信号とが供給される個別計測装置と、
を備え、
前記個別計測装置は、
前記２つの電流検出手段に１対１対応で接続され、前記主装置から供給される前記電圧信号と前記電流検出手段から供給される前記電流信号に基づいて電力を演算する２つの電力演算部と、
前記主装置から供給される前記電圧信号を前記２つの電力演算部に切替出力する電圧出力切替部と、
前記主装置が単相３線または三相３線の電路に接続されている場合は、前記２つの電力演算部で演算された電力値を合算して前記主装置に伝送し、前記主装置が単相２線の電路に接続されている場合は、前記２つの電力演算部で演算された電力値を別々に前記主装置に伝送する演算部と、
を有することを特徴とする電力計測装置。
【請求項２】
前記電圧出力切替部は、
前記主装置が単相３線または三相３線の電路に接続されている場合、前記電路の所定の２線間の電圧に相当する第１電圧信号及び前記２線の内の１線と残りの１線との電圧に相当する第２電圧信号が供給され、前記第１電圧信号を前記２つの電力演算部の一方に出力し、前記第２電圧信号を前記２つの電力演算部の他方に出力し、
前記主装置が単相２線の電路に接続されている場合、前記電路の２線間の電圧に相当する第３電圧信号が供給され、前記第３電圧信号を前記２つの電力演算部に出力することを特徴とする請求項１記載の電力計測装置。
【請求項３】
前記２つの電流検出手段を複数組備え、
前記個別計測装置は、
前記複数組の２つの電流検出手段に対応した複数組の前記２つの電力演算部を備えることを特徴とする請求項１または請求項２記載の電力計測装置。
【発明の詳細な説明】
【技術分野】
【０００１】
本発明は、単相３線、三相３線または単相２線の負荷の消費電力を計測する電力計測装置に関する。
【背景技術】
【０００２】
一般に、分電盤等に設置されて負荷の消費電力を計測する電力計測装置が知られている。従来の電力計測装置は、単相２線式、単相３線式、三相３線式等があり、従来、負荷の消費電力を計測する場合は、負荷の相線式にあった電力計測装置を用いて行っている。
【０００３】
また、本出願人は、電路の電圧を検出する主装置及び個別の負荷の消費電力を計測する個別計測装置からなる多回路電力計測装置を提案している（例えば、特許文献１）。図５は主装置１０２及び個別計測装置１０４からなる多回路電力計測装置を示す構成図である。図５に示すように、この多回路電力計測装置では、主装置内の電圧検出部１０２ａが電路の電圧を検出して個別計測装置１０４に出力し、個別計測装置１０４内の電力演算部１０４ｂは主装置１０２からの電圧と電流検出部１０３からの電流に基づいて負荷個別の電力を演算する。
【０００４】
また、需要家内の複数の負荷での消費電力を個別に計測する多回路電力計測装置が開示されている（例えば、特許文献２）。従来の多回路電力計測装置は、電路に接続される負荷での消費電力を個別に計測するものであり、負荷に対応した数の電流検出部を１つの筐体に複数個配線する必要があるため、従来の多回路電力計測装置を分電盤外に設置する場合に電流検出部に対応した数の配線を分電盤外に引き出す必要がある。
【特許文献１】特開２００３−２２２６４５号公報
【特許文献２】特開２０００−２８４００５号公報
【発明の開示】
【発明が解決しようとする課題】
【０００５】
しかしながら、従来の電力計測装置は、計測対象である負荷の相線式にあった電力計測装置を選択して設置する必要がある。
【０００６】
また、特許文献２に記載の多回路電力計測装置は、１つの筐体に複数個の電流検出部からの配線を接続するため、分電盤外に設置する場合に電流検出部に対応した数の配線を分電盤外に引き出す必要があり、配線工事が大掛かりとなる。
【０００７】
本発明の課題は、１台で異なる相線式の負荷の消費電力を計測することができ且つ工事を簡単化することができる電力計測装置を提供することにある。
【課題を解決するための手段】
【０００８】
本発明は、前記課題を解決するために以下の手段を採用した。請求項１の発明は、単相３線、三相３線または単相２線の電路に接続され、前記電路の電圧を検出して前記電圧に相当する電圧信号を出力する主装置と、前記電路に接続された負荷の電流を検出して前記電流に相当する電流信号を出力する２つの電流検出手段と、前記主装置から出力される前記電圧信号と前記２つの電流検出手段から出力される前記電流信号とが供給される個別計測装置とを備え、前記個別計測装置は、前記２つの電流検出手段に１対１対応で接続され、前記主装置から供給される前記電圧信号と前記電流検出手段から供給される前記電流信号に基づいて電力を演算する２つの電力演算部と、前記主装置から供給される前記電圧信号を前記２つの電力演算部に切替出力する電圧出力切替部と、前記主装置が単相３線または三相３線の電路に接続されている場合は、前記２つの電力演算部で演算された電力値を合算して前記主装置に伝送し、前記主装置が単相２線の電路に接続されている場合は、前記２つの電力演算部で演算された電力値を別々に前記主装置に伝送する演算部とを有することを特徴とする。
【発明の効果】
【０００９】
請求項１の発明によれば、主装置は、単相３線、三相３線または単相２線の電路に接続され、電路の電圧を検出して電圧に相当する電圧信号を出力し、２つの電流検出手段は、電路に接続された負荷の電流を検出して電流に相当する電流信号を出力し、個別計測装置は、主装置から出力される電圧信号と２つの電流検出手段から出力される電流信号とが供給され、個別計測装置内の２つの電力演算部は、２つの電流検出手段に１対１対応で接続され、主装置から供給される電圧信号と電流検出手段から供給される電流信号に基づいて電力を演算し、個別計測装置内の電圧出力切替部は、主装置から供給される電圧信号を２つの電力演算部に切替出力し、個別計測装置内の演算部は、主装置が単相３線または三相３線の電路に接続されている場合、２つの電力演算部で演算された電力値を合算して主装置に伝送し、主装置が単相２線の電路に接続されている場合は、２つの電力演算部で演算された電力値を別々に主装置に伝送するので、１台で異なる相線式の負荷の消費電力を計測することができる。また、電路の電圧を検出する主装置と電力を演算する個別計測装置とが別々に設けられているので、主装置を分電盤外に設けた場合にも分電盤外に引き出す配線の数を減らすことができるため、工事を簡単化することができる。
【発明を実施するための最良の形態】
【００１０】
以下、本発明の実施例に係る電力計測装置を図面を参照しながら詳細に説明する。
【実施例１】
【００１１】
図１及び図２は本発明の実施例１に係る電力計測装置の構成図であり、図１は単相２線の負荷５及び負荷６の消費電力を計測する場合の接続例であり、図２は単相３線または三相３線の負荷７の消費電力を計測する場合の接続例である。
【００１２】
図１及び図２に示すように、実施例１に係る電力計測装置は主装置２、個別計測装置４、第１電流検出部３ａ及び第２電流検出部３ｂからなり、主装置２は、電圧検出部２ａ、表示部２ｂ及び演算部２ｃを備え、個別計測装置４は、演算部４ａ、第１電力演算部４ｂ、第２電力演算部４ｃ及び電圧出力切替部４ｄを備えている。
【００１３】
電圧検出部２ａは、単相２線の電路１ａ、単相３線または三相３線の電路１ｂに接続され、電路の電圧を検出して、検出した電圧に相当する電圧信号を個別計測装置４の電圧出力切替部４ｄに供給する。
【００１４】
具体的に、電圧検出部２ａは、３つの入力端子２ａ−１〜２ａ−３を備え、単相２線の電路１ａに接続する場合は、入力端子２ａ−１、２ａ−２を電路１ａの２線間に接続し、入力端子２ａ−３を未接続とする（図１）。単相３線または三相３線の電路１ｂに接続する場合は、入力端子２ａ―１、２ａ−２、２ａ−３をそれぞれ電路１ｂのＲ相、Ｓ相、Ｔ相に接続する（図２）。また、電圧検出部２ａは、入力端子２ａ−１と２ａ−２との間の電圧を検出して、検出した電圧に相当する電圧信号を出力する第１電圧検出部２ａ−４と、入力端子２ａ−３と２ａ−２との間の電圧を検出して、検出した電圧に相当する電圧信号を出力する第２電圧検出部２ａ−５とを備えている。
【００１５】
電圧出力切替部４ｄは、スイッチＳＷ１を備えている。スイッチＳＷ１は、共通端子ｃに接片ｄの一端が接続され、接片ｄの他端が選択端子ａまたは選択端子ｂに切替接続される。選択端子ａは第１電圧検出部２ａ−４に接続されるとともに第１電力演算部４ｂに接続され、選択端子ｂは第２電圧検出部２ａ−５に接続され、共通端子ｃは第２電力演算部４ｃに接続されている。
【００１６】
このように接続された電圧出力切替部４ｄは、電圧検出部２ａからの電圧信号を第１電力演算部４ｂ及び第２電力演算部４ｃに切替出力する。即ち、電圧出力切替部４ｄは、主装置２が単相２線の電路１ａに接続されて計測対象が単相２線の負荷５及び負荷６の場合（図１）、スイッチＳＷ１の接片ｄを選択端子ａに接続して、電路１ａの２線間の電圧に相当する電圧信号を第１電圧検出部２ａ−４から入力し、第１電力演算部４ｂ及び第２電力演算部４ｃに出力する。また、電圧出力切替部４ｄは、主装置２が単相３線または三相３線の電路１ｂに接続されて計測対象が単相３線または三相３線の負荷７の場合（図２）、スイッチＳＷ１の接片ｄを選択端子ｂに接続して、Ｒ−Ｓ間の電圧ＶＲＳに相当する電圧信号を第１電圧検出部２ａ−４から入力して第１電力演算部４ｂに出力し、Ｔ−Ｓ間の電圧ＶＴＳに相当する電圧信号を第２電圧検出部２ａ−５から入力して第２電力演算部４ｃに出力する。
【００１７】
なお、このスイッチＳＷ１は、電力計測装置の設置時に操作者によって手動で切替えられる手動切替スイッチであってもよいし、演算部４ａからの制御によって自動的に切替えられる自動切替スイッチであってもよい。
【００１８】
スイッチＳＷ１が手動切替スイッチである場合、主装置２を単相２線の電路１ａに接続するときには、操作者は手動でスイッチＳＷ１の接片ｄを選択端子ａに接続する。主装置２を単相３線または三相３線の電路１ｂに接続するときには、操作者は手動でスイッチＳＷ１の接片ｄを選択端子ｂに接続する。このとき、電圧出力切替部４ｄは、スイッチＳＷ１の切替状態を示す信号を演算部４ａに出力する。演算部４ａは、電圧出力切替部４ｄからの信号に基づいて、主装置２が単相２線の電路１ａに接続されているのか、単相３線または三相３線の電路１ｂに接続されているのかを判定する。
【００１９】
スイッチＳＷ１が自動切替スイッチである場合、演算部４ａは、第２電圧検出部２ａ−５からの電圧信号の有無を検出し、第２電圧検出部２ａ−５からの電圧信号を検出しない（選択端子ｂが無電圧である）場合、主装置２が単相２線の電路１ａに接続されていると判定し、演算部４ａからの制御によりスイッチＳＷ１の接片ｄを選択端子ａに接続する。また、演算部４ａは、第２電圧検出部２ａ−５からの電圧信号を検出した場合、主装置２が単相３線または三相３線の電路１ｂに接続されていると判定し、演算部４ａからの制御によりスイッチＳＷ１の接片ｄを選択端子ｂに接続する。
【００２０】
第１電流検出部３ａは、主装置２が単相２線の電路１ａに接続されて計測対象が単相２線の負荷５及び負荷６の場合（図１）、負荷５の電流を検出して、検出した電流に相当する電流信号を第１電力演算部４ｂに出力する。また、第１電流検出部３ａは、主装置２が単相３線または三相３線の電路１ｂに接続されて計測対象が単相３線または三相３線の負荷７の場合（図２）、Ｒ相の電流を検出して、検出した電流に相当する電流信号を第１電力演算部４ｂに出力する。
【００２１】
第２電流検出部３ｂは、主装置２が単相２線の電路１ａに接続されて計測対象が単相２線の負荷５及び負荷６の場合（図１）、負荷６の電流を検出して、検出した電流に相当する電流信号を第２電力演算部４ｃに出力する。また、第２電流検出部３ｂは、主装置２が単相３線または三相３線の電路１ｂに接続されて計測対象が単相３線または三相３線の負荷７の場合（図２）、Ｔ相の電流を検出して、検出した電流に相当する電流信号を第２電力演算部４ｃに出力する。
【００２２】
第１電力演算部４ｂは、電圧出力切替部４ｄからの電圧信号及び第１電流検出部３ａからの電流信号に基づいて電力を演算して電力に相当する電力値を出力する。第２電力演算部４ｃは、電圧出力切替部４ｄからの電圧信号及び第２電流検出部３ｂからの電流信号に基づいて電力を演算して電力に相当する電力値を出力する。
【００２３】
個別計測装置４の演算部４ａは、主装置２が単相２線の電路１ａに接続されて計測対象が単相２線の負荷５及び負荷６の場合（図１）、第１電力演算部４ｂからの電力値と第２電力演算部４ｃからの電力値とを別々に主装置２の演算部２ｃに伝送する。また、個別計測装置４の演算部４ａは、主装置２が単相３線または三相３線の電路１ｂに接続されて計測対象が単相３線または三相３線の負荷７の場合（図２）、第１電力演算部４ｂからの電力値と第２電力演算部４ｃからの電力値とを合算して主装置２の演算部２ｃに出力する。主装置２の演算部２ｃは、個別計測装置４の演算部４ａからの電力値を表示部２ｂに表示させる。
【００２４】
次に、実施例１の電力計測装置の動作を説明する。まず、図１に示すような単相２線の負荷５及び負荷６の消費電力を計測する場合の動作を説明する。図１に示すように、単相２線の負荷５及び負荷６の消費電力を計測する場合、主装置２の電圧検出部２ａは、電路１ａに接続され、電路１ａの２線間の電圧Ｖを検出する。電圧検出部２ａは、検出した電圧Ｖを降圧して、検出された電圧に相当する電圧信号を個別計測装置４の電圧出力切替部４ｄに供給する。次に、電圧出力切替部４ｄは、電圧Ｖに相当する電圧信号を第１電力演算部４ｂ及び第２電力演算部４ｃに出力する。一方、第１電流検出部３ａは、負荷５の電流Ｉ１を検出して、電流Ｉ１に相当する電流信号を第１電力演算部４ｂに出力する。また、第２電流検出部３ｂは、負荷６の電流Ｉ２を検出して、電流Ｉ２に相当する電流信号を第２電力演算部４ｃに出力する。第１電力演算部４ｂは、電圧Ｖに相当する電圧信号及び電流Ｉ１に相当する電流信号に基づいて電力Ｗ１を演算し、第２電力演算部４ｃは、電圧Ｖに相当する電圧信号及び電流Ｉ２に相当する電流信号に基づいて電力Ｗ２を演算する。電力Ｗ１及びＷ２に相当する電力値は演算部４ａに出力される。演算部４ａは、第１電力演算部４ｂから出力された電力値と第２電力演算部４ｃから出力された電力値とを別々に主装置２の演算部２ｃに伝送する。主装置２の演算部２ｃは、個別計測装置４の演算部４ａから出力された電力値を表示部２ｂに個別に表示させる。
【００２５】
次に、図２に示すような単相３線負荷または三相３線の負荷７の消費電力を計測する場合の動作を説明する。図２に示すように、単相３線負荷または三相３線負荷の消費電力を計測する場合、主装置２の電圧検出部２ａは、電路１ｂのＲ相、Ｓ相及びＴ相に接続され、Ｒ−Ｓ間の電圧ＶＲＳ及びＴ−Ｓ間の電圧ＶＴＳを検出する。電圧検出部２ａは、検出した電圧ＶＲＳ及び電圧ＶＴＳを降圧して、検出された電圧に相当する電圧信号を個別計測装置４の電圧出力切替部４ｄに供給する。次に、電圧出力切替部４ｄは、電圧ＶＲＳに相当する電圧信号を第１電力演算部４ｂに出力し、電圧ＶＴＳに相当する電圧信号を第２電力演算部４ｃに出力する。一方、第１電流検出部３ａは、Ｒ相の電流ＩＲを検出して、電流ＩＲに相当する電流信号を第１電力演算部４ｂに出力する。また、第２電流検出部３ｂは、Ｔ相の電流ＩＴを検出して、電流ＩＴに相当する電流信号を第２電力演算部４ｃに出力する。第１電力演算部４ｂは、電圧ＶＲＳに相当する電圧信号及び電流ＩＲに相当する電流信号に基づいて電力Ｗ１´を演算し、第２電力演算部４ｃは、電圧ＶＴＳに相当する電圧信号及び電流ＩＴに相当する電流信号に基づいて電力Ｗ２´を演算する。電力Ｗ１´及びＷ２´に相当する電力値は演算部４ａに出力される。演算部４ａは、第１電力演算部４ｂから出力された電力値と第２電力演算部４ｃから出力された電力値とを合算して求めた電力値を主装置２の演算部２ｃに伝送する。主装置２の演算部２ｃは、個別計測装置４の演算部４ａから出力された電力値を表示部２ｂに表示させる。
【００２６】
このように、実施例１に係る電力計測装置は、主装置２が、単相３線、三相３線または単相２線の電路に接続され、電路の電圧を検出して電圧に相当する電圧信号を出力し、第１電流検出部３ａ及び第２電流検出部３ｂは、電路に接続された負荷の電流を検出して電流に相当する電流信号を出力する。
【００２７】
個別計測装置４は、主装置２から出力される電圧信号と第１電流検出部３ａ及び第２電流検出部３ｂから出力される電流信号とが供給され、個別計測装置４内の第１電力演算部４ｂは第１電流検出部３ａに接続され、第２電力演算部４ｃは第２電流検出部３ｂに接続され、主装置２から供給される電圧信号と第１電流検出部３ａ及び第２電流検出部３ｂから供給される電流信号に基づいて電力を演算する。
【００２８】
個別計測装置４内の電圧出力切替部４ｄは、主装置２から供給される電圧信号を第１電力演算部４ｂ及び第２電力演算部４ｃに切替出力し、個別計測装置４内の演算部４ａは、主装置２が単相３線または三相３線の電路に接続されている場合、第１電力演算部４ｂ及び第２電力演算部４ｃで演算された電力値を合算して主装置２に伝送し、主装置２が単相２線の電路に接続されている場合は、第１電力演算部４ｂ及び第２電力演算部４ｃで演算された電力値を別々に主装置に伝送するので、１台で異なる相線式の負荷の消費電力を計測することができる。
【００２９】
また、電路の電圧を検出する主装置２と電力を演算する個別計測装置４が別々に設けられているので、主装置２を分電盤外に設けた場合にも分電盤外に引き出す配線の数を減らすことができるため、工事を簡単化することができる。
【実施例２】
【００３０】
実施例２に係る電力計測装置は、３つ以上の単相２線負荷または２つ以上の三相３線負荷または２つ以上の三相３線負荷の消費電力を計測できるようにしたものである。
【００３１】
図３及び図４は本発明の実施例２に係る電力計測装置の構成図であり、図３は単相２線の負荷１５〜負荷２０の消費電力を計測する場合の接続例であり、図４は単相３線または三相３線の負荷２１〜負荷２３の消費電力を計測する場合の接続例である。
【００３２】
図３及び図４に示すように、実施例２に係る電力計測装置は主装置２、個別計測装置１４、第１電流検出部１３ａ〜第６電流検出部１３ｆからなり、実施例１の電力計測装置の電流検出部及び電力演算部を６つに増やしたものである。即ち、実施例１の第１電流検出部３ａ及び第２電流検出部３ｂに相当する２つの電流検出部を複数組設け、実施例１の第１電力演算部４ｂ及び第２電力演算部４ｃに相当する２つの電力演算部を、複数組の２つの電流検出部に対応した複数組設けたものである。その他の構成は実施例１と同様であり、同一部分には同一の符号を付し、重複する説明は省略する。
【００３３】
第１電流検出部１３ａ〜第６電流検出部１３ｆは、それぞれ第１電力演算部１４ｂ〜第６電力演算部１４ｇに接続されている。
【００３４】
電圧出力切替部１４ｈは、スイッチＳＷ１１〜ＳＷ１３を備えている。スイッチＳＷ１１は、共通端子ｃに接片ｄの一端が接続され、接片ｄの他端が選択端子ａまたは選択端子ｂに切替接続される。スイッチＳＷ１２は、共通端子ｇに接片ｈの一端が接続され、接片ｈの他端が選択端子ｅまたは選択端子ｆに切替接続される。スイッチＳＷ１３は、共通端子ｋに接片ｌの一端が接続され、接片ｌの他端が選択端子ｉまたは選択端子ｊに切替接続される。
【００３５】
選択端子ａは第１電圧検出部２ａ−４に接続されるとともに第１電力演算部１４ｂに接続され、選択端子ｅは第１電圧検出部２ａ−４に接続されるとともに第３電力演算部１４ｄに接続され、選択端子ｉは第１電圧検出部２ａ−４に接続されるとともに第５電力演算部１４ｆに接続されている。選択端子ｂ、ｆ、ｊは第２電圧検出部２ａ−５に接続されている。共通端子ｃ、ｇ、ｋはそれぞれ第２電力演算部１４ｃ、第４電力演算部１４ｅ、第６電力演算部１４ｇに接続されている。
【００３６】
このように接続された電圧出力切替部１４ｈは、電圧検出部２ａからの電圧信号を第１電力演算部１４ｂ〜第６電力演算部１４ｇに切替出力する。即ち、電圧出力切替部１４ｈは、主装置２が単相２線の電路１１ａに接続されて計測対象が単相２線の負荷１５〜負荷２０の場合（図３）、スイッチＳＷ１１の接片ｄを選択端子ａに、スイッチＳＷ１２の接片ｈを選択端子ｅに、スイッチＳＷ１３の接片ｌを選択端子ｉに、それぞれ接続して、電路１１ａの２線間の電圧に相当する電圧信号を第１電圧検出部２ａ−４から入力し、第１電力演算部１４ｂ〜第６電力演算部１４ｇに出力する。また、電圧出力切替部１４ｈは、主装置２が単相３線または三相３線の電路１１ｂに接続されて計測対象が単相３線または三相３線の負荷２１〜負荷２３の場合（図４）、スイッチＳＷ１１の接片ｄを選択端子ｂに、スイッチＳＷ１２の接片ｈを選択端子ｆに、スイッチＳＷ１３の接片ｌを選択端子ｊに、それぞれ接続して、Ｒ−Ｓ間の電圧ＶＲＳに相当する電圧信号を第１電力演算部１４ｂ、第３電力演算部１４ｄ、第５電力演算部１４ｆに出力し、Ｔ−Ｓ間の電圧ＶＴＳに相当する電圧信号を第２電力演算部１４ｃ、第４電力演算部１４ｅ、第６電力演算部１４ｇに出力する。
【００３７】
次に、図３に示すように、単相２線の電路１１ａに接続された負荷１５〜負荷２０の消費電力を計測する場合の動作を説明する。
【００３８】
第１電流検出部１３ａ〜第６電流検出部１３ｆは、それぞれ負荷１５〜負荷２０の電流を検出して、各電流に相当する電流信号をそれぞれ第１電力演算部１４ｂ〜第６電力演算部１４ｇに出力する。
【００３９】
電圧出力切替部１４ｈは、電圧検出部２ａからの電圧信号を第１電力演算部１４ｂ〜第６電力演算部１４ｇに切替出力する。即ち、電路１１ａの電圧に相当する電圧信号を第１電力演算部１４ｂ〜第６電力演算部１４ｇに出力する。
【００４０】
第１電力演算部１４ｂ〜第６電力演算部１４ｇは、それぞれ第１電流検出部１３ａ〜第６電流検出部１３ｆから出力された電流信号と電圧出力切替部１４ｈから出力された電圧信号とに基づいて電力を演算する。演算により求められた電力に相当する電力値は、演算部１４ａに出力される。
【００４１】
演算部１４ａは、第１電力演算部１４ｂ〜第６電力演算部１４ｇから出力された電力値を別々に主装置２に伝送する。
【００４２】
次に、図４に示すように、単相３線または三相３線の電路１１ｂに接続された負荷２１〜負荷２３の消費電力を計測する場合の動作を説明する。
【００４３】
第１電流検出部１３ａ〜第６電流検出部１３ｆは、それぞれ負荷２１〜負荷２３の電流を検出して、各電流に相当する電流信号をそれぞれ第１電力演算部１４ｂ〜第６電力演算部１４ｇに出力する。
【００４４】
電圧出力切替部１４ｈは、電圧検出部２ａからの電圧信号を第１電力演算部１４ｂ〜第６電力演算部１４ｇに切替え出力する。即ち、電圧出力切替部１４ｈは、Ｒ−Ｓ間の電圧ＶＲＳに相当する電圧信号を第１電力演算部１４ｂ、第３電力演算部１４ｄ、第５電力演算部１４ｆに出力し、Ｔ−Ｓ間の電圧ＶＴＳに相当する電圧信号を第２電力演算部１４ｃ、第４電力演算部１４ｅ、第６電力演算部１４ｇに出力する。
【００４５】
第１電力演算部１４ｂ〜第６電力演算部１４ｇは、それぞれ第１電流検出部１３ａ〜第６電流検出部１３ｆから出力された電流信号と電圧出力切替部１４ｈから出力された電圧信号とに基づいて電力を演算する。演算により求められた電力に相当する電力値は、演算部１４ａに出力される。
【００４６】
演算部１４ａは、第１電力演算部１４ｂから出力された電力値と第２電力演算部１４ｃから出力された電力値を合算し、第３電力演算部１４ｄから出力された電力値と第４電力演算部１４ｅから出力された電力値を合算し、第５電力演算部１４ｆから出力された電力値と第６電力演算部１４ｇから出力された電力値を合算して求めた電力値を主装置２に伝送する。
【００４７】
このように、実施例２に係る電力計測装置は、２つの電流検出部（実施例１の第１電流検出部３ａ及び第２電流検出部３ｂに相当する）を複数組備え、個別計測装置４は、２つの電流検出部に対応した複数組の２つの電力演算部（実施例１の第１電力演算部４ｂ及び第２電力演算部４ｃに相当する）を備えたので、１台で異なる相線式の負荷の消費電力を計測することができるとともに、３つ以上の単相２線負荷や２つ以上の単相３線負荷または三相３線負荷の消費電力を計測できる。
【００４８】
また、電路の電圧を検出する主装置２と電力を演算する個別計測装置１４が別々に設けられているので、主装置２を分電盤外に設けた場合にも分電盤外に引き出す配線の数を減らすことができるため、工事を簡単化することができる。
【００４９】
なお、上記の説明で、電流検出部及び電力演算部を６つずつ設けるものとしてが、電流検出部及び電力演算部の個数は２つ以上であればよい。
【産業上の利用可能性】
【００５０】
本発明は、異なる相線式の負荷の消費電力を計測できる電力計測装置として利用可能である。
【図面の簡単な説明】
【００５１】
【図１】本発明の実施例１に係る電力計測装置で単相２線の負荷を計測する場合の接続例を示すブロック図である。
【図２】本発明の実施例１に係る電力計測装置で単相３線または三相３線の負荷を計測する場合の接続例を示すブロック図である。
【図３】本発明の実施例２に係る電力計測装置で単相２線の負荷を計測する場合の接続例を示すブロック図である。
【図４】本発明の実施例２に係る電力計測装置で単相３線または三相３線の負荷を計測する場合の接続例を示すブロック図である。
【図５】従来の電力計測装置の構成を示すブロック図である。
【符号の説明】
【００５２】
１ａ、１ｂ、１１ａ、１１ｂ…電路
２…主装置
２ａ…電圧検出部
２ａ−１〜２ａ−３…入力端子
２ａ−４…第１電圧検出部
２ａ−５…第２電圧検出部
２ｂ…表示部
２ｃ…演算部
２ｃ…表示部
３ａ…第１電流検出部
３ｂ…第２電流検出部
４…個別計測装置
４ａ…演算部
４ｂ…第１電力演算部
４ｃ…第２電力演算部
４ｄ…電圧出力切替部
５〜７…負荷
１３ａ〜１３ｆ…第１電流検出部〜第６電流検出部
１４…個別計測装置
１４ａ…演算部
１４ｂ〜１４ｇ…第１電力演算部〜第６電力演算部
１４ｈ…電圧出力切替部
１５〜２３…負荷
１００…電路
１０２…主装置
１０２ａ…電圧検出部
１０３…電流検出部
１０４…個別計測装置
１０４ａ…演算部
１０４ｂ…電力演算部
【図１】
2006337193.tif 000003
【図２】
2006337193.tif 000004
【図３】
2006337193.tif 000005
【図４】
2006337193.tif 000006
【図５】
2006337193.tif 000007